(57)【要約】【課題】壁上を安全に移動すること。【解決手段】  壁上を移動するための壁上移動用手摺枠であって、前記壁上における移動対象を取り囲む包囲枠と、前記壁上から壁側面を両側から挟み、前記包囲枠を前記壁側面に沿って移動可能に案内する案内部材と、を備える。前記包囲枠には、前記壁上を移動するための車輪が設けられていることが望ましい。【選択図】図１
2014206020.tif 000002
【特許請求の範囲】
【請求項１】
壁上を移動するための壁上移動用手摺枠であって、
前記壁上における移動対象を取り囲む包囲枠と、
前記壁上から壁側面を両側から挟み、前記包囲枠を前記壁側面に沿って移動可能に案内する案内部材と、
を備える壁上移動用手摺枠。
【請求項２】
請求項１に記載の壁上移動用手摺枠であって、
前記包囲枠には、前記壁上を移動するための車輪が設けられていることを特徴とする壁上移動用手摺枠。
【請求項３】
請求項１又は請求項２に記載の壁上移動用手摺枠であって、
前記包囲枠は、複数の棒状部材を固定部材で固定して形成されることを特徴とする壁上移動用手摺枠。
【請求項４】
請求項１乃至請求項３のいずれかに記載の壁上移動用手摺枠であって、
前記案内部材は、前記枠部材から前記壁側面と略平行に延びる棒状部材であることを特徴とする壁上移動用手摺枠。
【請求項５】
請求項１乃至請求項４のいずれかに記載の壁上移動用手摺枠であって、
前記案内部材は、前記壁側面から壁の内側方向に向かう段差に向かって突出する突出部材を備えることを特徴とする壁上移動用手摺枠。
【発明の詳細な説明】
【技術分野】
【０００１】
本発明は、落下の危険性のある壁上を安全に移動するための壁上移動用手摺枠に関する。
【背景技術】
【０００２】
津波防波壁の天端上などの高所作業場を移動しながら作業者作業を行うことがある。この場合、津波防波壁の天端上の距離が長く、強い海風等にも曝されることから、作業者の安全性を確保する手法が望まれる。
【０００３】
特許文献１には、手摺の棒状の手摺枠部に着脱自在に取り付けられる安全具が開示されている。
【先行技術文献】
【特許文献】
【０００４】
【特許文献１】特開２０１２−１９３５３２号公報
【発明の概要】
【発明が解決しようとする課題】
【０００５】
津波防波壁の天端上などの壁上を安全に移動する手法としては、天端上に親綱を張り、張られた親綱を作業者がつたいながら移動する方法や、親綱に安全具を取り付けて移動する方法も考えられる。しかしながら、津波防波壁の全範囲に親綱を張るとすれば、その距離の長さから多くの時間と材料費等を要する。そのため、新たな手法により安全に壁上を移動する手法が望まれる。
【０００６】
本発明は、このような事情に鑑みてなされたものであり、その目的は、安全に壁上を移動することにある。
【課題を解決するための手段】
【０００７】
前述の目的を達成するため、本発明は、壁上を移動するための壁上移動用手摺枠であって、前記壁上における移動対象を取り囲む包囲枠と、前記壁上から壁側面を両側から挟み、前記包囲枠を前記壁側面に沿って移動可能に案内する案内部材と、を備える。
【０００８】
本発明の壁上移動用手摺枠によれば、案内部材が壁上から壁側面を両側から挟むので壁面方向についての移動が制限される。そのため壁上移動用手摺枠は壁側面方向に落下し難い構造となっている。よって、移動対象が包囲枠内に入り、壁上移動用手摺枠を壁の長手方向に移動させることで、移動対象も壁上から落下せずに安全に壁上を移動することができる。
【０００９】
前述の壁上移動用手摺枠において、前記包囲枠には、前記壁上を移動するための車輪が設けられていることが好ましい。このようにすることで、壁上との摩擦力が軽減されるので、壁上において壁上移動用手摺枠を容易に移動させることができる。
【００１０】
前述の壁上移動用手摺枠において、前記包囲枠は、複数の棒状部材を固定部材で固定して形成されることが好ましい。このようにすることで、一般に市販されている単管等の材料を用いて壁上移動用手摺枠を作製することができる。また、棒状部材を採用することで移動対象は壁上移動用手摺枠を把持しやすくなるため、より安全に壁上を移動することができる。
【００１１】
前述の壁上移動用手摺枠において、前記案内部材は、前記枠部材から前記壁側面と略平行に延びる棒状部材であることが好ましい。このようにすることで、壁側面と略平行に延びる棒状部材が壁側面に接するので、壁上において壁上移動用手摺枠をより安定的に移動させることができる。
【００１２】
前述の壁上移動用手摺枠において、前記案内部材は、前記壁側面から壁の内側方向に向かう段差に向かって突出する突出部材を備えることが好ましい。このようにすることで、壁側面から壁の内側方向に向かう段差を有する場合であっても、突出部材が内側方向に向かう段差に向かって突出しているので、突出部分が段差部分に掛かるようにすることができる。そして、壁上移動用手摺枠の落下をより有効に防止することができる。
【発明の効果】
【００１３】
本発明によれば、案内部材が壁上から壁側面を両側から挟むので壁面方向についての移動が制限される。そのため壁上移動用手摺枠は壁側面方向に落下し難い構造となっている。よって、移動対象が包囲枠内に入り、壁上移動用手摺枠を壁の長手方向に移動させることで、移動対象も壁上から落下せずに安全に壁上を移動することができる。
【図面の簡単な説明】
【００１４】
【図１】本実施形態における天端移動用手摺枠１を移動方向に向かって見た図である。
【図２】本実施形態における天端移動用手摺枠１を壁面側から見た図である。
【図３】本実施形態における天端移動用手摺枠１の平面図である。
【発明を実施するための形態】
【００１５】
図１は、本実施形態における天端移動用手摺枠１を移動方向に向かって見た図である。図２は、本実施形態における天端移動用手摺枠１を壁面側から見た図である。図３は、本実施形態における天端移動用手摺枠１の平面図である。以下、これらの図を参照しつつ、壁上移動用手摺枠の一実施形態としての天端移動用手摺枠１について説明する。
【００１６】
図１から図３には、天端移動用手摺枠１と津波防波壁１００と作業者Ｍが示されている。作業者Ｍは、天端移動用手摺枠１を用いて津波防波壁１００の天端１００ａ上を移動する。また、図には、天端移動用手摺枠１の移動方向と、津波防波壁１００の壁幅方向が示されている。
【００１７】
天端移動用手摺枠１は、津波防波壁１００の天端１００ａ上を移動するための手摺枠である。天端移動用手摺枠１は、移動対象である作業者Ｍを取り囲む包囲枠１０と、津波防波壁１００の壁側面を両側から挟み、壁側面に沿って包囲枠１０の移動方向を案内する案内用単管２２、２４、２６（案内部材に相当）を備える。
【００１８】
本実施形態において、包囲枠１０は、包囲枠用単管１２によって構成された３組の単管枠１１を備える。単管枠１１は、壁幅方向に延びる包囲枠用単管１２と移動方向に延びる包囲枠用単管１２がクランプ１８で固定されることにより構成される（図３）。これら３組の単管枠１１は、上下方向にそれぞれ間隔を隔てて後述する傾斜壁案内用単管２２の垂直壁案内用単管２４に固定される。
【００１９】
図３において、包囲枠用単管１２の長さが壁幅方向に延びるものと移動方向に延びるものとで異なっているが、これらは同じ長さのものを用いることとしてもよい。また、図１において壁幅方向に延びる包囲枠用単管１２が傾斜壁１００ｂ上においてやや長めに突出しているが、短く切断したものを用いることとしてもよい。
【００２０】
傾斜壁案内用単管２２は、その一部の側面が津波防波壁１００の傾斜壁１００ｂに接するように３組の単管枠１１に固定される。すなわち、傾斜壁案内用単管２２は、傾斜壁１００ｂと略平行となるように、それぞれの単管枠１１に固定される。傾斜壁１００ｂは天端１００ａに対して垂直ではないため、傾斜壁案内用単管２２も天端１００ａに対して垂直ではなく、傾斜して単管枠１１に固定されることになる。
【００２１】
垂直壁案内用単管２４は、その一部の側面を津波防波壁１００の垂直壁１００ｃに接するようにそれぞれの単管枠１１に固定される。すなわち、垂直壁案内用単管２２は、垂直壁１００ｃと略平行となるように、それぞれの単管枠１１に固定される。垂直壁１００ｃは、天端１００ａに対して垂直に設けられるので、垂直壁案内用単管２２も天端１００ａに対して垂直になるように単管枠１１に固定されることになる。
【００２２】
このように傾斜壁案内用単管２２及び垂直壁案内用単管２４がそれぞれ壁面に対して略平行となるように設けられるので、それぞれの単管の側面を壁面に摺動させて安定的に天端移動用手摺枠１を移動させることができる。
【００２３】
また、壁幅方向に延びる包囲枠用単管１２には、それぞれクランプ１８を用いて車輪取付用単管１４が垂直方向に２本ずつ固定される。そして、それぞれの車輪取付用単管１４の下端部には、移動方向（図２）に移動できるように車輪３２が取り付けられる。車輪３２は、ブラケット３２ａを介して車輪取付用単管１４に固定される。このように、天端移動用手摺枠１に車輪３２を設けることにより、天端１００ａとの間に生ずる摩擦力が軽減されるので、天端１００ａにおいて天端移動用手摺枠１を容易に移動させることができる。
【００２４】
また、本実施形態において想定する津波防波壁１００では、壁幅方向において津波防波壁１００の内側方向に段差となるような段差壁１００ｄを有する。このため、天端移動用手摺枠１は、垂直壁案内用単管２４の下端部に段差壁１００ｄの方向に延びる段差壁案内用単管２６を備える。また、段差壁案内用単管２６は、その一端が段差壁１００ｄに近接するようにクランプ１８を用いて垂直壁案内用単管２４に固定される。このようにすることで、仮に、天端移動用手摺枠１が傾斜壁１００ｂ側に傾いたとしても、段差壁案内用単管２６が垂直壁１００ｃと段差壁１００ｄとの間の段差部分に掛かるので、天端移動用手摺枠１の落下をより有効に防止することができる。
【００２５】
このように構成された天端移動用手摺枠１は、クレーン等によって天端１００ａ上に載置される。本実施形態における天端移動用手摺枠１によれば、そのほとんどの重量が組み合わされた単管の重量であり比較的軽量であるので、容易にクレーン等によって天端１００ａ上に載置することができる。
【００２６】
天端移動用手摺枠１は、天端１００ａ上で組立てられることとしてもよい。本実施形態における天端移動用手摺枠１によれば、構成が比較的単純であるので、天端１００ａ上であっても容易に組立を行うことができる。
【００２７】
本実施形態における天端移動用手摺枠１によれば、傾斜壁案内用単管２２と垂直壁案内用単管２４が津波防波壁１００を両側から挟み込むので、これらの上部に固定された包囲枠１０の壁幅方向についての移動が制限される。そのため、天端移動用手摺枠１は壁側面方向に落下し難い構造となっている。よって、作業者Ｍが包囲枠１０内に入り、包囲枠１０の一部を把持して移動方向に移動することで、作業者Ｍは天端１００ａから落下せずに安全に天端１００ａ上を移動することができる。
【００２８】
また、本実施形態において天端移動用手摺枠１を構成する材料が、一般的に市販されているクランプ１８、車輪３２、及び、単管であることから、入手容易かつ安価な材料を用いて天端移動用手摺枠１を作製することができる。また、単管を採用することで作業者Ｍは、天端移動用手摺枠１内において包囲枠１０を把持しやすくなるため、より容易かつ安全に天端１００ａ上を移動することができる。また、単管を組み合わせて製造されるため空気抵抗が低い。そのため、強い海風に曝されたとしても、その風圧による影響を受けにくいという利点もある。
【００２９】
なお、包囲枠用単管１２と車輪取付用単管１４と傾斜壁案内用単管２２と垂直壁案内用単管２４と段差壁案内用単管２６における単管は、説明の便宜上名称を異ならせているが、共通の太さの単管を用いることができる。
【００３０】
また、包囲枠１０を包囲枠用単管１２で構成することとしたが、作業者Ｍを取り囲むことができれば、他の種類の材料を用いることができる。また、傾斜壁案内用単管２２と垂直壁案内用単管２４と段差壁案内用単管２６も単管により構成することとしたが、他の形状を有する材料、例えば板状の材料を用いて構成することとしてもよい。
【００３１】
また、包囲枠１００を作業者Ｍの四方を取り囲む矩形形状として説明を行ったが、形状はこれに限られない。作業者Ｍを安全かつ適切に取り囲むことができれば、他の多角形形状や円形形状であってもよい。
【００３２】
一例における津波防波壁１０では、数ｍの高さを有するとともに全長が数百ｍの長さを有するのに対し、その天端１００ａの幅は約１．５ｍと極めて狭いケースがある。また、津波防波壁１００は、海沿いに設けられるため風も強くなりやすいことから、天端１００ａ上で作業者Ｍが点検作業を行う際には、転落防止のための何らかの措置を講じる必要がある。
【００３３】
従来の措置としては、天端上に津波防波壁１００の端から端まで転落防止用の親綱を張り、作業者は落下防止用の安全帯を親綱に取り付けて転落防止を図っていた。しかしながら、全長が数百ｍと非常に長いことから、親綱を張る作業自体に多大な時間と労力を要し、極めて効率が悪いという問題があった。
【００３４】
これに対し、上述の本実施形態の天端移動用手摺枠１を用いることとすれば、このような親綱を天端上に張る必要がないため、低コストかつ安全に作業者は天端１００ａ上を移動することができるようになる。
【００３５】
なお、ここでは壁上移動用手摺枠の一例として津波防波壁１００上を移動するための天端移動用手摺枠１を説明したが、両壁が露出している壁上を移動対象が移動するあらゆるケースにおいて壁上移動用手摺枠を適用可能である。
【００３６】
以上の実施形態の説明は、本発明の理解を容易にするためのものであり、本発明を限定するものではない。本発明はその趣旨を逸脱することなく、変更、改良され得ると共に本発明にはその等価物が含まれる。
【符号の説明】
【００３７】
１…天端移動用手摺枠、
１０…包囲枠、１１…単管枠、
１２…包囲枠用単管、１４…車輪固定用単管、１８…クランプ、
２２…傾斜壁案内用単管、２４…垂直壁案内用単管、２６…段差壁案内用単管、
３２…車輪、３２ａ…ブラケット、
１００…津波防波壁、
１００ａ…天端、１００ｂ…傾斜壁、１００ｃ…垂直壁、１００ｄ…段差壁、
Ｍ…作業者
【図１】
2014206020.tif 000003
【図２】
2014206020.tif 000004
【図３】
2014206020.tif 000005